【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
呼吸インタフェース装置のためのクッションの張力組立体であり、前記呼吸インタフェース装置は、フェースプレート及びクッションを含み、前記フェースプレートは、内面及び外面を含み、前記クッションは、弾力性のある本体を含み、前記呼吸インタフェース装置のクッション本体は、中心、中心線及びユーザの顔に係合するように構成される係合部を含み、前記クッション本体は、前記フェースプレートに結合され、前記クッションの張力組立体は、
調節組立体、及び
多数の張力部材
を有し、
各張力部材は、前記調節組立体に動作可能に結合され、各張力部材は、前記クッション本体に動作可能に結合され、及び前記調節組立体は、前記クッション本体を、前記クッション本体が概ね連続する封止を提供する第１の形状と、前記クッションがより完全な封止を提供する第２の形状との間を移動させるように構成される、並びに
前記調節組立体は、前記フェースプレートに結合され、前記調節組立体は、多数の作動装置及び多数の張力部材の連結部を含み、各張力部材の連結部は、１つの張力部材に結合され、各張力部材の連結部は、少なくとも１つの作動装置に動作可能に結合され、各作動装置は、前記フェースプレートの外面に隣接して置かれ、並びに各張力部材の連結部は、前記フェースプレートの内面に隣接して置かれる、
クッションの張力組立体。
【請求項２】
前記調節組立体は、前記クッション本体を、前記クッション本体の選択部分が前記クッション本体の中心又は前記クッション本体の中心線の一方から第１の距離にある前記第１の形状と、前記クッション本体の前記選択部分が前記クッション本体の中心又は前記クッション本体の中心線の一方から第２の距離にある前記第２の形状との間を移動させるように構成される、請求項１に記載のクッションの張力組立体。
【請求項３】
前記調節組立体は、刻み目のあるストラップの調節組立体、リールベースの閉鎖の調節組立体、及びねじ棒の調節組立体を含む集合から選択される、請求項１に記載のクッションの張力組立体。
【請求項４】
前記調節組立体は、少なくとも１つの張力部材の有効長を変更するように構成される、請求項１に記載のクッションの張力組立体。
【請求項５】
各張力部材は、細長い本体を含み、各張力部材の本体は、第１の端部及び第２の端部を含み、各張力部材の本体の第１の端部は、前記調節組立体に動作可能に結合され、並びに各張力部材の本体の第２の端部は、前記クッション本体に動作可能に結合される、請求項１に記載のクッションの張力組立体。
【請求項６】
前記調節組立体は、如何なる張力部材とも単一ではない、請求項１に記載のクッションの張力組立体。
【請求項７】
内面及び外面を含むフェースプレート、
中心、中心線及びユーザの顔に係合するように構成される係合部を含む弾力性のある本体を含むクッションであり、前記クッション本体は前記フェースプレートに結合される、クッション、並びに
調節組立体及び多数の張力部材を含むクッションの張力組立体であり、各張力部材は、前記調節組立体に結合され、各張力部材は前記クッション本体に動作可能に結合され、前記調節組立体は、前記クッション本体を、前記クッション本体が概ね連続する封止を提供する第１の形状と、前記クッション本体がより完全な封止を提供する第２の形状との間を移動させるように構成される、クッションの張力組立体
を有する呼吸インタフェース装置において、
前記調節組立体は、前記フェースプレートに結合され、前記調節組立体は、多数の作動装置及び多数の張力部材の連結部を含み、各張力部材の連結部は、１つの張力部材に結合され、各張力部材の連結部は、少なくとも１つの作動装置に動作可能に結合され、各作動装置は、前記フェースプレートの外面に隣接して置かれ、並びに各張力部材の連結部は、前記フェースプレートの内面に隣接して置かれる、
呼吸インタフェース装置。
【請求項８】
前記クッション本体は、多数の張力部材の連結部を含み、各クッション本体の張力部材の連結部は、前記クッション本体の関連する選択部分を含み、並びに前記調節組立体は、前記クッション本体を、前記クッション本体の張力部材の連結部の前記クッション本体の選択部分が前記クッション本体の中心又は前記クッション本体の中心線の一方から第１の距離にある前記第１の形状と、前記クッション本体の張力部材の連結部の前記クッション本体の選択部分が前記クッション本体の中心又は前記クッション本体の中心線の一方から第２の距離にある前記第２の形状との間を移動させる、請求項７に記載の呼吸インタフェース装置。
【請求項９】
前記調節組立体は、ねじ棒の調節組立体、刻み目のあるストラップの調節組立体及びリールベースの閉鎖の調節組立体を含む集合から選択される、請求項７に記載の呼吸インタフェース装置。
【請求項１０】
前記調節組立体は、少なくとも１つの張力部材の有効長を変更するように構成される、請求項７に記載の呼吸インタフェース装置。
【請求項１１】
各張力部材は、細長い本体を含み、各張力部材の本体は、第１の端部及び第２の端部を含み、各張力部材の本体の第１の端部は、前記調節組立体に動作可能に結合され、並びに各張力部材の本体の第２の端部は、前記クッション本体に動作可能に結合される、請求項７に記載の呼吸インタフェース装置。
【請求項１２】
前記調節組立体は、如何なる張力部材とも単一ではない、請求項７に記載の呼吸インタフェース装置。
【請求項１３】
前記クッション本体は、第１の鼻部分及び第２の鼻部分を含み、前記調節組立体は、前記クッション本体を、前記第１の鼻部分及び前記第２の鼻部分が前記クッション本体の中心又は前記クッション本体の中心線の一方から第１の距離にある前記第１の形状と、前記第１の鼻部分及び前記第２の鼻部分が前記クッション本体の中心又は前記クッション本体の中心線の一方から第２の距離にある前記第２の形状との間を移動させる、請求項７に記載の呼吸インタフェース装置。
【請求項１４】
呼吸インタフェース装置を使用する方法であり、前記呼吸インタフェース装置は、フェースプレート、クッション及びクッションの張力組立体を含み、前記フェースプレートは、内面及び外面を含み、前記クッションは、弾力性のある本体を含み、前記クッション本体は、中心、中心線及びユーザの顔に係合するように構成される係合部を含み、前記クッション本体は、前記フェースプレートに結合され、前記クッションの張力組立体は、調節組立体及び多数の張力部材を含み、各張力部材は、前記調節組立体に動作可能に結合され、各張力部材は、前記クッション本体に動作可能に結合され、前記調節組立体は、前記フェースプレートに結合され、前記調節組立体は、多数の作動装置を含み、各張力部材の連結部は、１つの張力部材に結合され、各張力部材の連結部は、少なくとも１つの作動装置に動作可能に結合され、各作動装置は、前記フェースプレートの外面に隣接して置かれ、各張力部材の連結部は、前記フェースプレートの内面に隣接して置かれ、前記調節組立体は、前記クッション本体を、前記クッション本体が概ね連続する封止を提供する第１の形状と、前記クッション本体がより完全な封止を提供する第２の形状との間を移動させるように構成され、前記方法は、
前記ユーザの顔の上に前記呼吸インタフェース装置を位置決めるステップ、
前記クッション本体の係合部が概ね連続する封止を提供するように、前記ユーザの上に前記クッション本体の係合部を置くステップ、及び
前記クッション本体が第１の形状と第２の形状との間を移動するように、前記クッションの張力組立体を作動させるステップ、
を有し、
前記クッションの張力組立体を作動させるステップは、前記フェースプレートの外面に隣接して置かれる前記作動装置を作動させるステップを含み、及び
前記作動装置は、前記フェースプレートの内面に隣接する少なくとも１つの張力部材の有効長を変更する、
方法。
【請求項１５】
前記クッション本体は、第１の鼻部分及び第２の鼻部分を含み、前記クッション本体が第１の形状と第２の形状との間を移動するように前記クッションの張力組立体を作動させるステップは、前記第１の鼻部分及び前記第２の鼻部分を、前記クッション本体の中心又は前記クッション本体の中心線の一方からの第１の距離と、前記クッション本体の中心又は前記クッション本体の中心線の一方からの第２の距離との間を移動させるステップを含む、請求項１４に記載の方法。